(57)【要約】【課題】  建具枠の気密処理を施すことを目的とする。【解決手段】  長手方向に中央空間を持つように折曲しながら、建具を支えるための所望の形状に形成し、躯体側にあって長手方向に開口部１１を有する建具枠本体３を作る。この建具枠本体３の開口部１１を閉塞するため、該開口部１１を構成する前記建具枠本体３の両端部３ａ、３ｂに細長い閉塞板１２を取付ける。この閉塞板１２と前記開口部１１を構成する前記建具本体３の両端部３ａ、３ｂとの取付部位に、建具枠本体３の外部よりシール材１５を付着させている。【選択図】      図２
2012162857.tif 000002
【特許請求の範囲】
【請求項１】
長手方向に中央空間を持つように折曲しながら、建具を支えるための所望の形状に形成し、躯体側にあって長手方向に開口部を有する建具枠本体を作り、この建具枠本体の開口部を閉塞するため、該開口部を構成する前記建具枠本体の両端部に細長い閉塞板を取付け、この閉塞板と前記開口部を構成する前記建具本体の両端部との取付部位に、建具枠本体の外部よりシール材を付着させたことを特徴とする建具枠。
【請求項２】
前記閉塞板は、前記建具枠本体の両端部に溶着されて取付られたことを特徴とする請求項１記載の建具枠。
【請求項３】
前記シール材は、難燃性の軟性材料より成ることを特徴とする請求項１記載の建具枠。  
【請求項４】
前記閉塞板には、ケーブルを引き出す通し部材が取付られ、この通し部材にも、閉塞板との溶着部位にシール材が付着されたことを特徴とする請求項１，２又は３記載の建具枠。
【発明の詳細な説明】
【技術分野】
【０００１】
この発明は、扉、戸などを支える建具枠にあって、気密性を確保することができる建具枠に関する。
【背景技術】
【０００２】
半導体クリーンルームのように、塵埃の侵入を防いでいる部屋や、実験時に内部空気の漏洩を嫌う実験室において、各部屋の気密性が要求されている。各部屋の気密性の対策として、部屋を構成する壁面の気密の対策や、扉と扉枠との気密の対策が行なわれてきた。例えば、特許文献１，２に示すような構成が採用されてきた。
【先行技術文献】
【特許文献】
【０００３】
【特許文献１】特開２００４−１０７９５５
【特許文献２】実開平５−７８９２
【０００４】
特許文献１にあっては、段落[０００５]から[０００６]にかけて記載の通り、ホルマリン燻蒸時に部属内部の空気の漏洩を完全に密閉する目的から、考案されたもので、密閉時に目張りを確実化するために、蝶番５を扉本体の目張り側と扉枠の目張り側の少なくとも一方に設けられた凹部内に配置する等の構成を採用している。しかし、段落[０００６]にあるように、ヒンジ固定ボルト穴や、ストライクプレートからの漏洩を防ぐことができない。
【発明の概要】
【発明が解決しようとする課題】
【０００５】
部屋の気密は、建具枠から壁面に漏れることも確認され、その対策として、図３に示すような構造が採用されてきている。この構造を図３に基づいて説明すると、建具枠５０は、長手方向に中央空間５１を持つように折曲しながら、建具（扉）６１を支える段部５２が設けられ、全体がコ字上に形成され、躯体５５に形成の取付部位に収納されている。５３は気密材である。
【０００６】
この建具枠５０の躯体側にあって、製造上必要から長手方向に開口部５４が形成されている。この開口部５４は、躯体５５に対峙し、中央空間５１が躯体側へ連通している。一般的には、壁面５６は、ボード５７称される壁下地建材にて作られ、内部にモルタルが充填され、該壁面５６にも気密構造が採用されている。
【０００７】
しかるに、建具枠５０には、ヒンジ６０が固着され、その取付ボルト５８の穴が穿設されて、その穴より気体が入り込むことを防ぐために、シール材によりシール処理５９が施されている。そのシール処理の作業は、開口部５４より手を入れて行い、狭い部位のためすこぶる作業性が悪かった。また、見えづらいために確実にシール処理が行なわれない恐れもあった。
【０００８】
さらに、建具枠５０には、扉６１に設けられたドアロック装置６３に対峙する部位に係合穴６４が形成され、その係合穴６４にストライクプレート６５が取付られ、デッドボルト６６が係止している。前記したようにストライクプレート６５からも部屋内の空気が漏洩し、部屋外へ流出する不具合もあった。
【０００９】
このため、この発明では、建具枠の気密処理の確実性化を図ることを目的としたものである。
【課題を解決するための手段】
【００１０】
この発明の建具枠は、長手方向に中央空間を持つように折曲しながら、建具を支えるための所望の形状に形成し、躯体側にあって長手方向に開口部を有する建具枠本体を作り、この建具枠本体の開口部を閉塞するため、該開口部を構成する前記建具枠本体の両端部に細長い閉塞板を取付け、この閉塞板と前記開口部を構成する前記建具本体の両端部との取付部位に、建具枠本体の外部よりシール材を付着させたことを特徴とする（請求項１）。
【００１１】
この構成により、建具枠本体の開口部に閉塞板が取付られ、中央空間が密閉されると共に、建具枠本体の外側より、取付部位をシール材により全体にわたりシール処理するため、気密が確実に行なわれる。なお、建具枠本体の開口部への閉塞板の接着は、金属製のため、溶着により行なわれることが好ましい（請求項２）。また、前記シール材は難燃性の軟性材料により成ることが好ましく（請求項３）、前記取付部位である溶着上に被せて付着されることになる。また、前記閉塞板には、ケーブルを引き出すと通し部材が取付られ、この通し部材にも、閉塞板との溶着部位にシール材が付着されることになる（請求項４）。
【発明の効果】
【００１２】
以上のように、この発明によれば、建具枠本体の開口部が閉塞板により閉塞されると共に、さらに閉塞板と、開口部を構成する前記建具枠本体の両端部との取付部位に、建具枠本体の外側よりシール材を付着させたことから、シール処理を確実に且つ容易に行なうことができ、建具枠から壁面に至る中央空間の内部空気の漏洩を確実になくすことができる。このように、漏洩を溶着とシール材にて確実に防がれる。また、建具枠本体の外側からシール作業を行なうことができ、作業性が良好となる。さらに、シール材の施工後の目視検査も直線部分を見渡すだけであり、検査時間の短縮、見落し率の低下という効果も生じる。さらにまた、電気錠へのケーブルの引き出しのための通し部材のシールも、通し部材と閉塞板との取付部分にシール材を施すことで、密閉の確実化を図ることができる。
【図面の簡単な説明】
【００１３】
【図１】この発明に係る建具枠の斜視図である。
【図２】同上の拡大断面図である。
【図３】従来の建具枠の拡大断面図である。
【００１４】
以下、この発明の実施例を図面に基づいて説明する。
【発明を実施するための形態】
【実施例１】
【００１５】
図１には、この発明に係る建具枠１の斜視図が、図２には、躯体に装着された建具枠１の拡大断面図がそれぞれ示されている。建具枠１は扉や戸などを支える枠で、建具枠本体３が主要な構造体となっている。
【００１６】
建具枠本体３は、平板を板金加工を施し、内部に中央空間２を長手方向に残しながら、断面矩形を基本形とし、該建具枠本体３に囲まれる側に、扉４を着座させる段部５を備え、この段部５には弾性作用を持つ気密材６が配され、扉４が閉じられる時に、気密材６に当接し、気密保持がなされる。
【００１７】
７は扉を支え且つ回転軸となるヒンジである。このヒンジ７の一方の取付部位８ａは、前記建具枠本体３に、ボルト９を介して取付られていると共に、他方の取付部位８ｂは前記扉４に取付られている。
【００１８】
前記建具枠本体３の反段部側（躯体側）には、開口部１１を有しており、この開口部１１は、該建具枠本体３の両端部３ａ、３ｂが離れ、適宜な間隙が開けられ、対峙していて、しかも建具枠本体３の長手方向に沿って形成されている。なお、前記端部３ａ、３ｂは建具枠本体３の基体部分から外方へ９０度程折曲されている。
【００１９】
前記した建具枠本体３の開口部１１には、内側（中央空間側）からその長手方向の全てを閉塞する細長い閉塞板１２が当接され、前記端部３ａ、３ｂに溶着されている。この溶着は、建具枠本体３の外部側から行なわれ、閉塞板１２の外側と前記両端部３ａ、３ｂとの取付部位に、溶着による肉盛１３が形成され、開口部１１は閉塞板１２により完全に閉塞される。
【００２０】
溶着により閉塞板１２は建具枠本体３に取付られるが、該溶着には細かな通穴が生じることも有り、それを完全に閉塞するために外部からの作業によりシール材１５が付着されている。このシール作業は外部からで目視でき、容易となった。ここで用いられるシール材１５は、難燃性で、軟性材料であるシリコン系のもので、市販のものが用いられている。
【００２１】
１４は前記閉塞板１２に外方へ向けて突設の建具枠１を支える取付板で、多数個が設けられ、下記する壁面１８を構成する鉄材２０に一端を溶着された結合板２１を介して、その他端と溶着され、これにより、建具枠１は、壁面１８に設置される。
【００２２】
３０は図１に示されるように、建具枠本体３に溶着された閉塞板１２に設けられ、内部より外部へ通る筒状の通し部材で、電気信号で施錠と開錠を制御する電気錠へのケーブルを通しており、この通し部材３０の閉塞板１２との溶着部分にシール材１５が付着されている。
【００２３】
上述の構成の建具枠１は、建物の躯体１６に形成の取り付け部位１７に取付けられる。一般的には、躯体１６は石こうボードにより囲まれ、壁面１８となり、その壁面１８側のチャンネル状鉄材２０から伸びる結合板２１に前記取付板１４が溶着されて、建具枠１は支えられ所定の取付部位に固定される。２２は壁面１８と建具枠１との間をシールするシール部材である。
【００２４】
この発明の建具枠１において、ヒンジ７を取付けるボルト９の穴や、ドアロック装置２５のデットボルト２７が係止するストライクプレート２８から入り、
係合穴２６を通って中央空間２内に部屋の空気が侵入するが、閉塞板１２とシール材１５とにより、開口部１１は完全に閉塞されているから、壁面１８内へ侵入できず、部屋内の空気の外部への漏洩の防止に貢献することができる。
【符号の説明】
【００２５】
１    建具枠
２    中央空間
３    建具枠本体  
３ａ、３ｂ  端部
４    扉  
６    気密材
７    ヒンジ
１１  開口部
１２  閉塞板
１３  肉盛
１５  シール材
１６  躯体
１８  壁面
【図１】
2012162857.tif 000003
【図２】
2012162857.tif 000004
【図３】
2012162857.tif 000005